(57)【要約】【課題】火災現場において消防用ホースを使用するときに、必要に応じて迅速に且つ確実に消防用ホースを発光させることを目的とする。【解決手段】混合により化学的に発光する発光液６を、消防用ホース２の使用直前に付着させる。消防用ホース２をホース格納容器１から引き出しながら、その表面に発光液６を付着させることができ、また消防用ホース２がホース格納容器１に収容された状態で、当該消防用ホース２上に前記発光液６を散布することもできる。【選択図】          図１
2004166848.tif 000002
【特許請求の範囲】
【請求項１】
混合により化学的に発光する発光液（６）を、消防用ホース（２）の使用直前に付着させることを特徴とする、消防用ホースの発光方法
【請求項２】
消防用ホース（２）をホース格納容器（１）から引き出しながら、その消防用ホース（２）の表面に前記発光液（６）を付着させることを特徴とする、請求項１に記載の消防用ホースの発光方法
【請求項３】
消防用ホース（２）がホース格納容器（１）に収容された状態で、当該消防用ホース（２）上に前記発光液（６）を散布することを特徴とする、請求項１に記載の消防用ホースの発光方法
【発明の詳細な説明】
【０００１】
【発明の属する技術分野】
本発明は、消防用ホースを発光させる方法に関するものであって、特に夜間に消火活動を行うに際し、消防用ホースを発光させて容易に視認し得るようにする方法に関するものである。
【０００２】
【従来の技術】
火災の際に消火活動を行うときには、消防用ホースにより放水することが広く行なわれており、そのために火災現場においては、消防用ホースが地面を縦横に這い回り、消防士による迅速な消火活動の障害となっていた。
【０００３】
特に夜間においては地面の消防用ホースが見にくく、消防士がつまずいたり消防車が消防用ホースを踏み付けて送水が停止したりすることが少なくなく、夜間においても容易に視認し得る消防用ホースが望まれていた。
【０００４】
また屋内において消火活動をする際には、消防士が煙に巻かれたりして身体に危険が及ぶことがあり、そのときには消防用ホースが脱出経路を示す有力な表示手段となる。
【０００５】
このように消防用ホースを容易に視認し得るようにする手段として、消防用ホースに蓄光塗料や蛍光塗料などを塗布することが提案されている。その一例として特開２０００−１４０１４６号公報に記載された発明がある。
【０００６】
【発明が解決しようとする課題】
しかしながら蓄光塗料を発光させるためには、相当時間に亙って光を当てて蓄光する必要があるが、通常消防用ホースは格納容器に収容され、光による繊維やゴムの劣化を防ぐために光が当たらない状態で保管されている。そのためその格納容器から引き出しても直ちには発光しない。
【０００７】
また一刻を争う火災現場において、長時間に亙って光を当てて蓄光させている暇はない。昼間であれば使用中に自然光によってある程度蓄光するが、特に発光させる必要のある夜間においては、よほど強い照明を当てなければ蓄光せず、事実上ほとんど発光しない状態で使用することになる。
【０００８】
また消防用ホースに反射塗料を塗布したり、表面に反射テープを貼付したりして、光の反射により容易に視認し得るようにすることも提案されているが、これらの反射塗料や反射テープは、照射された光を照射した方向に反射させるものであり、視認者が強い光源を持っていてそれで消防用ホースを照らさない限り、効果はない。また蛍光塗料も光を照射したときに蛍光を発するものであり、光の照射が無ければ発光しない。
【０００９】
本発明はかかる事情に鑑みなされたものであって、火災現場において消防用ホースを使用するときに、必要に応じて迅速に且つ確実に消防用ホースを発光させることを目的とするものである。
【００１０】
【課題を解決するための手段】
而して本発明は、混合により化学的に発光する発光液を、消防用ホースの使用直前に付着させることを特徴とするものである。
【００１１】
発光液を消防用ホースに付着させる方法としては、消防用ホースをホース格納容器から引き出しながら、その消防用ホースの表面に前記発光液を付着させることができる。
【００１２】
また消防用ホースがホース格納容器に収容された状態で、当該消防用ホース上に前記発光液を散布することにより、消防用ホースの表面に発光液を付着させることもできる。
【００１３】
【発明の実施の形態】
本発明は、消防用ホースの表面に発光液を付着させるものである。消防用ホースは従来広く使用されている市販の消防用ホースをそのまま使用することができ、予め何らかの処理を施しておく必要はない。
【００１４】
発光液は、二種の液体を混合することにより化学的に発光する液体であって、主としてシュウ酸エステルと過酸化水素水溶液との混合により発光するものが、広く市販されている。
【００１５】
この種の発光液は、透明なプラスチック容器内に過酸化水素水溶液を満たし、そのプラスチック容器中にシュウ酸エステルを封入したガラス製のアンプルを入れ、プラスチック容器の外側からアンプルを割ることによりシュウ酸エステルと過酸化水素水溶液とが混合して発光するものが、光信号用具やイベント会場における演出用具として広く市販されており、これらに使用される薬剤をそのまま使用することが可能である。
【００１６】
発光液の発光持続時間は長短種々のものが提供されているが、一般に消火活動においては初期の１時間程度が最も活発に行われ、それを過ぎれば概ね鎮火しているか、そうでなければ建物が焼け落ちた状態となっているので、１時間程度発光を持続し得るものであれば十分である。
【００１７】
而して本発明は、これらの二液混合型の発光液を、前記消防用ホースの表面に付着させるものである。前記発光液は予め二液を混合したものを消防用ホースに付着させてもよく、また二液を別個に付着させて消防用ホースの表面で混合して発光させることもできる。
【００１８】
またこの発光液を消防用ホースに付着させる手段としては、ローラーなどの塗布手段により塗布する方法、消防用ホースを発光液中に通し、又は浸漬する方法、スプレーにより噴霧する方法、格納容器中の消防用ホースに発光液を散布する方法などが挙げられる。
【００１９】
また発光液の消防用ホースへの付着状態は、消防用ホースの全長全周に亙って万遍なく付着せしめることが好ましいが、それは本発明において必ずしも必要な要件ではない。
【００２０】
消防用ホースの周方向の一部にのみ、長さ方向に線状に付着せしめてもよく、また長さ方向にも、発光により消防用ホースの長さ方向の連続性が認識できる程度に、断続的に付着させてもよい。
【００２１】
以下本発明を実施する状態を図面に従って説明する。図１は本発明の一形態を示すものであって、図１においてホース格納容器１中に扁平に折り畳まれた消防用ホース２がさらにジグザグに折り畳んで形成されている。そしてそのホース格納容器１の上部に引き出し口３が形成され、当該引き出し口３から消防用ホース２が外部に引き出されている。
【００２２】
そして４は、そのホース格納容器１の引き出し口３の外側に形成された塗布装置である。塗布装置４は液容器５に発光液６が収容されており、当該液容器５の上部に塗布ローラー７が設けられ、当該塗布ローラー７の一部が前記発光液６に浸漬され、上部は発光液６から露出している。
【００２３】
而して前記引き出し口３から突出した消防用ホース２が塗布ローラー７に接しており、消防用ホース２をホース格納容器１から引き出すと、その消防用ホース２に接触した塗布ローラー７が回転し、その表面に付着した発光液６を消防用ホース２の下面に付着せしめるようになっている。
【００２４】
図２は本発明を実施する装置の他の形態を示すものであって、ホース格納容器１の上部を覆う蓋８の上部に、発光液６を入れた液容器５が設けられており、当該蓋８の下面には散布管９が取り付けられている。そして液容器５内の発光液６を散布管９から、ホース格納容器１内の消防用ホース２の上に散布するようになっている。
【００２５】
この状態では発光液６はホース格納容器１内の上部に収容された消防用ホース２にしか付着しないが、十分な量の発光液６を散布することにより、発光液６が消防用ホース２の間を通って流下し、下部の消防用ホース２にも少なくともその折り畳み耳部には発光液６を付着させることができる。
【００２６】
【作用】
本発明においては、混合により化学的に発光する発光液を、消防用ホースの使用直前に付着させる。そのため発光液を付着させた消防用ホースは蓄光することなく、また光を反射させたり蛍光を生じたりする光源を必要とすることなく、直ちに十分な光量で発光する。
【００２７】
【発明の効果】
従って本発明によれば、火災現場において消防用ホースを使用するときに、必要に応じて迅速に且つ確実に消防用ホースを発光させることができる。従って夜間の消火活動においても消防用ホースの存在を容易に視認することができ、また屋内における消火活動において消防士が煙に巻かれたときにも、消防用ホースが強く発光して脱出経路を示す。
【００２８】
また本発明においては化学的に発光する発光液を消防用ホースに付着させるので、蓄光塗料のように発光させるために予め光を当てて蓄光させる必要がなく、また蛍光塗料や反射塗料のように特別な光源がなくとも発光するので、夜間や屋内での消火活動において極めて有効である。
【００２９】
また本発明によれば、夜間や屋内での消火などのように、消防用ホースを発光させる必要がある場合にのみ、本発明を適用して発光液を消防用ホースに付着させることができるので、消防用ホースを発光させるために特別な消防用ホースを用意する必要がなく、従来から使用している消防用ホースをそのまま使用しながら、必要に応じて本発明を実施することができる。
【００３０】
また本発明において使用される発光液は、光信号用具や演出用具として広く使用されている、シュウ酸エステルと過酸化水素水溶液とよりなる安価なものをそのまま使用することができる。
【００３１】
そしてこれらの発光液は、人体に対してもまた消防用ホースを構成する繊維や内張りに対しても無害であり、また使用後には水洗いにより容易に除去することができるので、安全に使用することができる。
【図面の簡単な説明】
【図１】本発明を実施する装置の一例を示す中央縦断面図
【図２】本発明を実施する装置の他の例を示す中央縦断面図
【符号の説明】
１  ホース格納容器
２  消防用ホース
６  発光液
【図１】
2004166848.tif 000003
【図２】
2004166848.tif 000004